(57)【特許請求の範囲】
【請求項１】
少なくとも下記Ａ〜Ｃ成分を含み、Ａ／Ｂ／Ｃ成分の重量比が１００／０．００１〜０．２／０．００５〜１．５であり、２５℃において液状である処理剤を、紙の乾燥重量に対して１〜５０％含有する衛生用紙。
Ａ：多価アルコール
Ｂ：炭素数８〜２２の脂肪酸類と糖とのエステル化合物
Ｃ：炭素数８〜２２のアルキル基を有する４級アンモニウム塩
【請求項２】
少なくとも下記Ａ〜Ｄ成分を含み、Ａ／Ｂ／Ｃ／Ｄ成分の重量比が１００／０．００１〜０．２／０．００５〜１．５／０．０１〜３であり、２５℃において液状である処理剤を、紙の乾燥重量に対して１〜５０％含有する衛生用紙。
Ａ：多価アルコール
Ｂ：炭素数８〜２２の脂肪酸類と糖とのエステル化合物
Ｃ：炭素数８〜２２のアルキル基及び／又はアルケニル基を有する４級アンモニウム塩
Ｄ：炭化水素
【請求項３】
前記処理剤を含有する紙の１枚当たりの坪量が１０〜４５ｇ／ｍ２であり、吸水度（ＪＩＳ  Ｓ  ３１０４−１９９２）が２枚重ねで０．１〜３．５秒であることを特徴とする請求項１又は請求項２に記載の衛生用紙。
【発明の詳細な説明】
【技術分野】
【０００１】
本発明は、衛生用紙に関する。
【背景技術】
【０００２】
ティシュペーパー及びトイレットぺーパーに代表される家庭用薄葉紙は、近年の高品質化の要求により、紙に柔軟性や保湿性を付与し、使い心地などの風合いに優れるものが求められるようになってきている。紙の風合いを向上させるために、薬液を表面塗布（外添）などによって紙に含ませる方法が例えば下記特許文献１〜３に提案されている。
紙に含ませる薬液としては、多価アルコール、糖類及び油類物質（特許文献１）、エステル結合を有する第４級アンモニウム塩、ポリエチレンオキシドを付加したソルビタンの脂肪酸エステル、多価アルコール（特許文献２）、２０℃で半固体であるか固体であるローション組成物の一部の成分として脂肪酸と糖とのエステルなどの糖誘導体（特許文献３）などが提案されている。
【先行技術文献】
【特許文献】
【０００３】
【特許文献１】特許第２９９６３１９号
【特許文献２】特開２００８−００７９２６号
【特許文献３】特表平１１−５１１０４６号
【発明の概要】
【発明が解決しようとする課題】
【０００４】
本発明の課題は、従来の衛生用紙に比べて生産性が良く、風合いが良好な衛生用紙を提供することにある。
【課題を解決するための手段】
【０００５】
本発明者らは、特定の組成物を含み、２５℃にて液状である処理剤を含有する衛生用紙が、従来の衛生用紙に比べて生産性が良く、風合いが良好な衛生用紙を得ることができることを見出し、本発明を完成するに至った。
【０００６】
すなわち、本発明は、下記を含む衛生用紙である。
（１）少なくとも下記Ａ〜Ｃ成分を含み、Ａ／Ｂ／Ｃ成分の重量比が１００／０．００１〜０．２／０．００５〜１．５であり、２５℃において液状である処理剤を、紙の乾燥重量に対して１〜５０％含有する衛生用紙。
Ａ：多価アルコール
Ｂ：炭素数８〜２２の脂肪酸類と糖とのエステル化合物
Ｃ：炭素数８〜２２のアルキル基を有する４級アンモニウム塩
【０００７】
（２）少なくとも下記Ａ〜Ｄ成分を含み、Ａ／Ｂ／Ｃ／Ｄ成分の重量比が１００／０．００１〜０．２／０．００５〜１．５／０．０１〜３であり、２５℃において液状である処理剤を、紙の乾燥重量に対して１〜５０％含有する衛生用紙。
Ａ：多価アルコール
Ｂ：炭素数８〜２２の脂肪酸類と糖とのエステル化合物
Ｃ：炭素数８〜２２のアルキル基及び／又はアルケニル基を有する４級アンモニウム塩
Ｄ：炭化水素
【０００８】
（３）前記処理剤を含有する紙の１枚当たりの坪量が１０〜４５ｇ／ｍ２であり、吸水度（ＪＩＳ  Ｓ  ３１０４−１９９２）が２枚重ねで０．１〜３．５秒であることを特徴とする（１）又は（２）に記載の衛生用紙。
【発明の効果】
【０００９】
本発明の衛生用紙は、公知の衛生用紙に比べ、風合いに優れる特徴を有する。
【発明を実施するための形態】
【００１０】
以下、本発明を実施するための形態（以下、実施形態という。）について詳細に説明する。
【００１１】
本発明に係る衛生用紙は、下記（Ａ）〜（Ｃ）成分又は下記（Ａ）〜（Ｄ）を含む処理剤を含有する。（Ａ）：多価アルコール、（Ｂ）：炭素数８〜２２の脂肪酸類と糖とのエステル化合物、（Ｃ）：炭素数８〜２２のアルキル基及び／又はアルケニル基を有する４級アンモニウム塩、（Ｄ）炭化水素。
【００１２】
処理剤に含まれる上記（Ａ）〜（Ｃ）成分の割合は、Ａ／Ｂ／Ｃ成分の重量比が１００／０．００１〜０．２／０．００５〜１．５である。上記重量比の範囲においてＢ成分の好ましい範囲としては０．００５〜０．２、さらには０．００５〜０．１５であり、Ｃ成分の好ましい範囲としては０．０２〜１．５、さらには０．０２〜１．１である。
【００１３】
処理剤に含まれる上記（Ａ）〜（Ｄ）成分の割合は、Ａ／Ｂ／Ｃ／Ｄ成分の重量比が１００／０．００１〜０．２／０．００５〜１．５／０．０１〜３である。上記重量比の範囲においてＢ成分の好ましい範囲としては０．００５〜０．２、さらには０．００５〜０．１５であり、C成分の好ましい範囲としては０．０２〜１．５、さらには０．０２〜１．１であり、Ｄ成分の好ましい範囲としては０．０３〜３、さらには０．０３〜２．５である。
【００１４】
本発明で使用される前記（Ａ）〜（Ｃ）成分又は前記（Ａ）〜（Ｄ）成分を含む処理剤は、２５℃において流動性のある液状である。２５℃において処理剤が固体であると、処理剤を紙表面に塗布することが難しく、また衛生用紙の風合いが悪化する。好ましくは処理剤の粘度が２５℃において５〜２００ｍＰａ・ｓであると、紙への塗布が容易となり、風合向上効果に優れる衛生用紙が得られ易い。
【００１５】
本発明の衛生用紙は、前記（Ａ）〜（Ｃ）成分又は前記（Ａ）〜（Ｄ）成分を含む処理液を紙の乾燥重量に対して合計１〜５０％、好ましくは５〜４０％含有する。
【００１６】
本発明で使用される多価アルコール（Ａ成分）としては、２価以上の水酸基を有するアルコールである。具体的には、グリセリン、ジグリセリン、エチレングリコール、プロピレングリコール、１，３−ブチレングリコール、ポリグリセリン、ポリエチレングリコール、ポリプロピレングリコール、ソルビトール、キシリトール、エリスリトール等が挙げられ、中でも風合いに優れるグリセリンが好ましい。
【００１７】
本発明で使用されるエステル化合物（Ｂ成分）としては、炭素数８〜２２の脂肪酸類と糖とのエステル化合物である。上記炭素数８〜２２の脂肪酸類としては、炭素数８〜２２の脂肪酸及び脂肪酸のエステルを挙げることができる。脂肪酸としては、炭素数が８〜２２である直鎖脂肪酸、分岐鎖を有する脂肪酸、飽和脂肪酸、及び不飽和脂肪酸の何れでも良い。上記脂肪酸のエステルとしては、上記各脂肪酸の酸無水物、及び上記各脂肪酸の炭素数１〜５、特に炭素数１〜３の低級アルコール（メチルアルコール、エチルアルコール、プロピルアルコール）のエステルなどが挙げられる。これらは単独又は２種以上組み合わせて使用することができる。また上記の糖としては、単糖類や、二糖類、三糖類などのオリゴ糖が挙げられる。単糖類としては、アロース、タロース、グロース、グルコース、アルトロース、マンノース、ガラクトース、イドース、リボース、リキソース、キシロース、アラビノース、アピオースなどのアルドース類、プシコース、フルクトース、ソルボース、タガトース、リブロース、キシルロースなどのケトース類が挙げられる。二糖類や三糖類としては、ショ糖、ラクトース、マルトース、トレハロース、ツラノース、セロビオース、ラフィノース、メレジトース、マルトトリオースなどが挙げられる。中でもエステル化合物（Ｂ成分）としては、ラウリン酸、ミリスチン酸、パルミチン酸、ステアリン酸、ベヘン酸及びオレイン酸のショ糖エステル化合物が風合いに優れるため好ましい。
【００１８】
本発明で使用される炭素数８〜２２のアルキル基又はアルケニル基を有する４級アンモニウム塩（Ｃ成分）としては、分子中に４級アンモニウム塩を有しており、かつ、４級アンモニウム塩の側鎖にアルキル基又はアルケニル基を有していれば良い。これらの一種を単独で使用することができ、またその二種以上を併用することもできる。Ｃ成分の中でも下記一般式（１）で表される化合物は、風合いに優れるため、好ましい。
【００１９】
【化１】
0005824389.tif 000002
（但し、式中、Ｒ１は炭素数６〜２２のアルキル基又は炭素数６〜２２のアルケニル基を、Ｒ２とＲ３とは（ＥＯ）ｍ（ＰＯ）ｎＨ、炭素数１〜２２のアルキル基、及び炭素数１〜２２のアルケニル基から選ばれる１種を示し、かつＲ２とＲ３とは同一又は相異していてもよく、Ｒ１〜Ｒ３のうち少なくとも１つは炭素数８〜２２のアルキル基及び／又は炭素数８〜２２のアルケニル基であり、Ｘ−は陰イオンであり、前記Ｅはエチレン基を示し、前記Ｐはプロピレン基を示し、ｍとｎとの合計は１〜６０である。エチレンオキサイド、及び／又はプロピレンオキサイドの付加形態はランダムでもブロックでも良い。なお、ｍ及びｎは平均付加モル数である。）
上記一般式（１）で表される第４級アンモニウム塩としては、具体的にはトリメチルモノラウリルアンモニウムクロライド、トリメチルモノセチルアンモニウムクロライド、トリメチルモノパルミチルアンモニウムクロライド、トリメチルモノステアリルアンモニウムクロライド、トリメチルモノオレイルアンモニウムクロライド、トリメチルモノベヘニルアンモニウムクロライド、ジメチルジラウリルアンモニウムクロライド、ジメチルジセチルアンモニウムクロライド、ジメチルジパルミチルアンモニウムクロライド、ジメチルジステアリルアンモニウムクロライド、ジメチルジオレイルアンモニウムクロライド、ジメチルジベヘニルアンモニウムクロライド、ポリアルキレンオキシモノメチルジオレイルアンモニウムクロライド、ビス(ポリアルキレンオキシ)モノメチルモノオレイルアンモニウムクロライド、ジヤシアルキルジメチルアンモニウムクロライドが挙げられる。
【００２０】
この中でも風合い向上効果に優れるモノ又はジステアリル基、モノ又はジラウリル基、モノ又はジオレイル基を有するアンモニウムクロライド化合物が好ましい。
【００２１】
本発明で使用される炭化水素（Ｄ成分）としては、パラフィン系炭化水素、ナフテン系炭化水素、芳香族系炭化水素、オレフィン系炭化水素などが挙げられる。
具体的には鉱物油、流動パラフィン、動物ワックス、植物ワックス、鉱物ワックス、石油ワックス等の天然ワックス、フィッシャー・トロプシュワックス、カスターワックス、ポリエチレンワックス及びポリプロピレンワックス等の合成ワックスを挙げることができる。これらの一種を単独で使用することができ、またその二種以上を併用することもできる。これらの中でも紙の風合向上効果に優れる鉱物油、流動パラフィンが好ましく、さらに４０℃における動粘度が２ｍｍ２／ｓ以上、より好ましくは３〜８０ｍｍ２／ｓである。
【００２２】
本発明で使用される上記処理剤は、前記（Ａ）〜（Ｄ）成分以外のその他の成分を任意に配合することができる。その他の成分としては、例えば、水、カチオン性以外の界面活性剤、消泡剤、防腐剤、香料などが挙げられる。その他の成分として水を加える場合は、処理剤全体のうち水が１〜４５重量％、さらには５〜４０重量％であることが風合いに優れる衛生用紙が得られ易く好ましい。水以外のその他の成分を加える場合は、処理剤全体のうち５重量％以下であることが好ましい。
【００２３】
カチオン性以外の界面活性剤として、ノニオン性、アニオン性、両性の界面活性剤が挙げられるが、処理剤の安定性への悪影響が小さいノニオン性の界面活性剤が好ましい。
【００２４】
消泡剤としては、ポリシロキサン、無機フィラー複合コンパウンド型シリコンオイル又はエマルション、ポリオキシエチレン変性シリコン、アミノ変性シリコン、ポリオキシアルキレンと高級アルコールとの付加体等が使用できる。
【００２５】
防腐剤としては、安息香酸塩、メチルパラベン、エチルパラベン等のオキシ安息香酸系防腐剤；ヘキサヒドロ−１，３，５−トリス（２−ヒドロキシエチル）−Ｓ−トリアジンに代表される有機窒素系防腐剤；１，２−ベンゾイソチアゾリン−３−オン、２−メチル−４−イソチアゾリン−３−オン、５−クロロ−２−メチル−４−イソチアゾリン−３−オン、２−ｎ−オクチル−４−イソチアゾリン、Ｎ−ブチル−１，２−ベンズイソチアゾリン−３−オン等に代表される有機窒素硫黄系防腐剤；１，２−ビス（ブロモアセトキシ）エタン、２，２−ジブロモ−３−ニトリロプロピオンアミド、ビストリブロモメチルスルホンに代表されるような有機ブロム系防腐剤；４，５−ジクロロ−１，２−ジチオール−３−オンで代表されるような有機硫黄系防腐剤等が使用できる。
【００２６】
香料としては、α−アミルシンナムアルデヒド、γ−ウンデカラクトン、オイゲノール、オクタノール、ケイ皮酸エチル、ゲラニオール、酢酸イソアミル、酢酸エチル、サリチル酸メチル、γ−ノナラクトン、バニリン、パラメチルアセトフェノン、ヒドロキシシトロネラール、ベンジルアルコール、メチルエチルケトン、ｄｌ−メントール、１−メントール、リナロールのいずれか１種または２種以上が使用できる。
【００２７】
本発明の衛生用紙は、上記処理剤を紙に塗布することによって得ることができる。まず第一に抄紙工程のウェブ形成後の水分率が２０％以下の部分でウェブに上記処理剤の溶解液を直接スプレー塗布する方法がある。薬剤溶解液は粘度が20mPa.S以下であることが望ましい。溶解液が水溶液である場合は塗布する液量で補助乾燥設備（例えばアフタードライヤーとして、多筒加熱ロール、フローター熱風乾燥設備や赤外線乾燥設備等）が必要である。リール巻取りでの水分は少なくとも10％以下にすることが望ましい。
【００２８】
また、予め抄紙機で抄造したウェブに二次工程で上記処理剤を含む溶解液を塗布する方法がある。これにはコーターまたは印刷機による方式がある。コーターや、グラビヤ印刷による場合には、グラビヤロールの溝深さや線数を変えることによりまたフレキソ印刷の場合はアニロックスロールの溝深さや線数や印刷パターンの形状を変えることにより、また品質改良剤の溶解液濃度を変えることにより塗布量を変えることができる。塗布ムラや塗布ロールへのウェブの付着などのトラブルを避ける意味で塗布する処理剤溶解液の粘度が２００ｍＰａ．ｓ以下であることが望ましい。
【００２９】
本発明の衛生用紙は、風合いを良好にするため、紙の１枚当たりの坪量を１０〜４５ｇ／ｍ２とする。衛生用紙として使用する際の拭き取る効果を良好にするため吸水度（日本工業規格ＪＩＳ  Ｓ  ３１０４）が用紙２枚重ねで０．１〜３．５秒とする。
【００３０】
本発明の衛生用紙のパルプ原料としては、クラフトパルプ、サルファイトパルプ等の晒並びに未晒化学パルプ；砕木パルプ、機械パルプ、サーモメカニカルパルプ等の晒並びに未晒高収率パルプ；新聞古紙、雑誌古紙、段ボール古紙、脱墨古紙等の古紙パルプを挙げることができ、これらは単独又は２種以上を組み合わせて使用することができる。
【００３１】
本発明の衛生用紙としては、トイレットペーパー、ティシュペーパー、タオルペーパー、ナプキン原紙の用途に適している。
【００３２】
以下、本発明の実施例および比較例を挙げて具体的に説明するが、本発明はこれらの例に限定されるものではない。なお、各例中、部、％は特記しない限りすべて重量部、重量％である。
【００３３】
（実施例１）
撹拌機を備えた３００ｍＬのフラスコに（Ａ）成分としてグリセリン  １００部、（Ｂ）成分としてショ糖ベヘニン酸エステル（モノ／ジ又はトリ＝２０／８０）  ０．１４部、（Ｃ）成分としてモノステアリルトリメチルアンモニウムクロライド  ０．３部、ポリオキシエチレン（５）ステアリルエーテル  １部、水  ３０部を添加し、５０℃にて３０分撹拌後、冷却し、ブルックフィールド回転粘度計を用いて、２５℃で測定した粘度が５６ｍＰａ・ｓである処理液を得た。得られた処理液について、流動性のある液状であることを確認した。さらに得られた処理液について、ティシュペーパー（パルプ：晒化学パルプ  坪量１１ｇ／ｍ2） ２枚一組に対して、処理液が表１で示す付着量（紙の乾燥重量に対するＡ〜Ｄ成分及びその他成分の合計重量）となるようにエアスプレーで均一に塗布し、温度２３℃、湿度５０％ＲＨの条件下で２４時間風乾させることで、実施例１の衛生用紙を得た。
【００３４】
（実施例２〜８、比較例１〜５）
表１、表２の処方で実施例１と同様に処理液を調製し、実施例２〜８、比較例１〜５の衛生用紙を得た。
【表１】
0005824389.tif 000003
※１：エステル組成：モノ／ジ又はトリ＝２０／８０
※２：エステル組成：モノ／ジ又はトリ＝７５／２５
※３：エステル組成：モノ／ジ又はトリ＝８０／２０
※４：ジステアロイルエチルヒドロキシエチルモニウムメトサルフェート/セトステアリルアルコール＝７５／２５の混合物を使用。表中の数値はジステアロイルエチルヒドロキシエチルモニウムメトサルフェートについての含有量を表す。
※５：密度０．８４ｇ／ｃｍ３（１５℃）、動粘度７ｍｍ２／ｓ(４０℃)
※６：組成パラフィン系／ナフテン系＝７／３、密度０．８６g/ｃｍ３（１５℃）、動粘度３２ｍｍ２/s(４０℃)
※７：密度０．９２ｇ／ｃｍ３（１５℃）、動粘度５ｍｍ２／ｓ（２５℃）
【表２】
0005824389.tif 000004
【００３５】
（比較例６）
表２の処方で実施例１と同様に処理剤を調製したところ、２５℃において処理剤の流動性が失われたため、処理剤を塗布することができなかった。
【００３６】
＜吸水度の評価＞
実施例２〜８、比較例１〜５の衛生用紙を日本工業規格ＪＩＳ  Ｓ  ３１０４の吸水度に従って測定した。測定結果を表１、２にまとめる。
衛生用紙として使用する際の拭き取る効果を良好にするため吸水度が用紙２枚重ねで０．１〜３．５秒の範囲にあることが好ましい。
【００３７】
＜風合いの評価＞
実施例１〜６及び比較例１〜５の衛生用紙の風合いを２枚握り官能性評価を行った。基準として比較例１の手触り感を点数３とし、実施例１〜６、比較例２〜５について風合いを評価した。評価結果を表１、２にまとめる。
【００３８】
＜発泡性の評価＞
１００ｍＬのビーカーに、実施例１〜６及び比較例１〜３で使用した処方液を５０ｍＬ加え、５００ｒｐｍ（長さ３ｃｍ直径５ｍｍの回転子を使用）で５分間撹拌し、さらに１分間静置した後の発泡の高さを測定した。
用紙に塗工する際に発泡があると塗工速度を上げること等ができないため、生産性を向上するためには発泡が少ないことが好ましい。
【００３９】
表１、２に示す結果から明らかな通り、本発明の実施例１〜８の衛生用紙は、比較例１〜６の衛生用紙に比べて良好な風合いを示した。中でも実施例３〜８は、吸水度に優れるため、衛生用紙として拭き取る効果が良好であり、また塗工液の発泡が少ないことから、生産性の向上した衛生用紙を得ることが可能であることを示唆している。
比較例１、２、５は、風合いしっとり感が実施例に比べて劣り、比較例３、比較例４は紙がべたつき過ぎて、風合いに劣る結果であった。
【００４０】
以上、実施形態を用いて本発明を説明したが、本発明の技術的範囲は上記実施形態に記載の範囲には限定されないことは言うまでもない。上記実施形態に、多様な変更または改良を加えることが可能であることが、当業者には明らかである。また、その様な変更または改良を加えた形態も本発明の技術的範囲に含まれ得ることが、特許請求の範囲の記載から明らかである。